(57)【要約】【課題】ディスクメディアマーキングの質を視覚的に向上させレーザマークのトラックの終りのギャップおよび／または重ね書きが発生しないようにする技術を提供する。【解決手段】  本発明は、上述の課題を克服するディスクメディアマーキングシステムを提供する。実施例では、レーザが、ディスクメディア上に同心円トラックに書込まれたレーザマークとしてイメージを描く。プリント制御アプリケーションが、第１の円形トラックの半径を、第１の円形トラックの円周長が整数個のレーザマーク間隔に対応するように確定する。プリント制御アプリケーションは、さらに、第１の円形トラックから第２の円形トラックへの半径増分を、第２の円形トラックの円周長が第２の整数個のレーザマーク間隔に対応するように確定する。【選択図】図３
2004247038.tif 000002
【特許請求の範囲】
【請求項１】
ディスクマーキングシステムであって、
ディスクメディア上に同心円トラックに書込まれるレーザマークとしてイメージを描くように構成されたレーザと、
第１の円形トラックの半径を、該第１の円形トラックの円周長が整数個のレーザマーク間隔に対応するように確定するように構成され、該第１の円形トラックから第２の円形トラックまでの半径増分を、該第２の円形トラックの円周長が第２の整数個の前記レーザマーク間隔に対応するように確定するように構成された、プリント制御アプリケーションと、
を有するディスクマーキングシステム。
【請求項２】
前記プリント制御アプリケーションが、前記レーザマーク間隔の同心円トラック間の半径方向の距離である前記半径増分を、各同心円トラックの円周長が整数個の該レーザマーク間隔に対応するように確定し、該同心円トラックが、前記第１の円形トラックと前記第２の円形トラックとを含む、請求項１に記載のディスクマーキングシステム。
【請求項３】
方法であって、
レーザマーク間隔の第１の円形トラックに対するディスクメディアの中心からの半径を、該第１の円形トラックの円周長が整数個の該レーザマーク間隔に対応するように確定するステップと、
前記レーザマーク間隔の前記第１の円形トラックと第２の円形トラックとの間の半径増分を、該第２の円形トラックの円周長が第２の整数個の該レーザマーク間隔に対応するように確定するステップと、
を有する方法。
【請求項４】
前記ディスクメディア上に、前記円形トラックの前記レーザマーク間隔に書込まれたレーザマークとしてラベルイメージを描画するステップをさらに有する請求項３に記載の方法。
【請求項５】
前記半径増分を確定するステップが、前記レーザマーク間隔の同心円トラック間の半径方向の距離である前記半径増分を、各同心円トラックの円周長が整数個の該レーザマーク間隔に対応するように確定するステップを含む、請求項３に記載の方法。
【請求項６】
方法であって、
ディスクメディア上にイメージを描画するために、同心円トラックに書込まれるようにレーザマークの長さを確定するステップであって、該レーザマークの長さはレーザマーク間隔に対応する、レーザマークの長さを確定するステップと、
前記同心円トラックの第１の円形トラックの半径を、該第１の円形トラックの円周長が整数個のレーザマーク間隔に対応するように確定するステップと、
を有する方法。
【請求項７】
前記同心円トラック間の半径増分を、各同心円トラックの円周長が前記レーザマーク間隔の整数倍に対応するように確定するステップをさらに有する、請求項６に記載の方法。
【請求項８】
方法であって、
ディスクメディア上にイメージを描画するために、同心円トラックに書込まれるようにレーザマークの長さを確定するステップであって、該レーザマークの長さはレーザマーク間隔に対応する、レーザマークの長さを確定するステップと、
レーザマーク間隔の同心円トラック間の半径増分を、各同心円トラックの円周長が整数個の該レーザマーク間隔に対応するように確定するステップと、
を有する方法。
【請求項９】
記憶メディアであって、
該記憶メディアに書込まれるデータを保持するように構成されたデータ面と、
レーザマークを該記憶メディアにイメージを描画するためにレーザマーク間隔に書込むことができるように、前記レーザマーク間隔の同心円トラックとして構成されたイメージ領域を有するラベル面と、
円周長が整数個の前記レーザマーク間隔に対応するような半径を有する第１の円形トラックと、
円周長が第２の整数個の前記レーザマーク間隔に対応するように前記第１の円形トラックから半径増分間隔が空けられた第２の円形トラックと、
を有する記憶メディア。
【請求項１０】
前記第１の円形トラックと前記第２の円形トラックとの間の前記半径増分が、各同心円トラックの円周長が整数個の前記レーザマーク間隔に対応するように、該同心円トラックの各々の間の半径距離である、請求項９に記載の記憶メディア。
【発明の詳細な説明】
【技術分野】
【０００１】
この発明は、ディスクメディアのマーキングに関し、特に光ディスクへのラベリングに関する。
【背景技術】
【０００２】
コンパクトディスク（ＣＤ）等の光ディスクは、低出力レーザビームを使用してデータを読書きすることができる光データ記憶メディアである。光ディスク技術は、まず、通常は音声、ビデオ、テキストおよび他の情報をデジタル形式で電子的に記録し、格納し、再生するために使用されるＣＤで市場に現れた。デジタルバーサタイルディスク（digital versatile disk、ＤＶＤ）は、ＣＤと同じ量の物理空間にずっと多くのデータを格納することができるために、概して映画を格納し再生するために使用される、別のより最近のタイプの光ディスクである。
【０００３】
コンパクトディスクは、最初、複雑な製造プロセスを介して透明なポリカーボネートプラスチック片に刻される窪みと平坦領域とのパターンとしてデジタルデータを格納する読出し専用記憶メディアであった。しかしながら、今では平均的な消費者が、ＣＤ−Ｒ（ＣＤ追記型（recordable）ディスク）、ＣＤ−ＲＷ（ＣＤ書換え型（rewritable）ディスク）および他の多くの形態の光ディスクにデジタルデータを書込むことができるＣＤプレイヤーにより、自身のＣＤにデータを書込むことができる。
【０００４】
消費者が自身の記録したディスクを識別するためのより都合のよい方法を望むにしたがい、かかる光ディスクの非データ面にたとえばテキストおよびイメージによりラベリングする方法が発達し続けてきた。ディスクにラベリングする基本的な方法には、マジックペン（たとえばシャーピーマーカー）で非データ面に物理的に書込むこと、またはペーパーステッカーラベルをプリントアウトしてディスクの非データ面に貼付けすることがある。従来の光ディスクプレイヤーで実施するために開発された他の物理マーキング方法には、インクジェットプリント、溶融型熱転写（thermal wax transter）および昇華型熱転写方法（thermal dye transfer method）が含まれる。さらに他の方法は、従来のディスクプレイヤーにおいてレーザを使用して、特別に用意されたディスク面にマーキングする。
【発明の開示】
【発明が解決しようとする課題】
【０００５】
光ディスクのラベル面（すなわち、非データ面または上面）において、ディスクの周囲の同心円トラックに沿ってレーザビームを用いてラベル面をマーキングすることにより、ラベルイメージを描くことができる。しかしながら、光ディスクの同心円トラックにラベリングする場合、トラックの始めと終りとの間のマーキングされていない空間（たとえば、余白）が、ラベルイメージ内の明るい色の放射状の縞として現れる場合がある。トラックの始めと終りとの間の空間は、通常はマーキング空間の一部分であり、したがって、マーク全体がその断片的なマーキング空間に入らないためレーザによってマーキングされない。これらのマーキングされない断片空間を、一般にトラックの終りのギャップ（end-of-track gap）と呼び、視覚的に好ましくない。
【０００６】
代替的に、円形トラックの終りのマーキングされていない断片空間にマーキングするかまたは書込んだ場合、ラベルイメージの明るいかまたは中間調領域内に暗い色の放射状の縞が現れる可能性があり、それもまた視覚的に好ましくない。暗い縞は、断片的なマーキング空間に書込まれたマークがトラックの最初のマーク（またはトラックの最後のマークまたは両方）にオーバラップし、第１のマークのオーバラップした断片が他のマークより暗く見える可能性があるため発生する。オーバラップするマークを、一般にトラックの終りの重ね書きと呼ぶ。
【０００７】
図１は、光ディスク１００へのラベリングまたはマーキングに関連するトラックの終りのギャップおよび重ね書き問題を示す。ディスク１００は、ディスクラベル領域１０２とディスク１００のラベル領域１０２に書込まれたテキストラベル１０４とを含む。テキストラベル１０４の領域１０６を拡大して、トラック１１２の始め１０８と終り１１０との間のマーキングされていない空間が、テキストラベル１０４の文字「ｘ」内等、ラベルイメージ内の明るい色の放射状縞１１４として現れることを示す。トラック１１２の始め１０８と終り１１０との間のマーキングされていない断片空間は、この例ではマーキング空間の断片に比例して変化する。
【０００８】
拡大領域１０６におけるトラック１１２は、ディスク１００上にレーザによって書込まれることにより文字「ｘ」の拡大領域１０６を形成する複数のレーザマーク１１６を含む。マーク１１６は、同心円トラックであるトラック１１２をディスク１００の周囲に矢印１１８で示す方向に形成するように書込まれる（すなわち、各同心円トラック１１２は、位置１０８で開始しておよそ位置１１０で終了する）。トラック１１２を、何らかの従来のラベリングシステムにより矢印１１８で示すものと反対の方向に書込んでもよい。トラック１１２（Ｎ）は、ディスク１００にイメージを書込む場合に、トラック１１２（Ｎ）の終りに書込まれたレーザマーク１２０が第１のレーザマーク１２２とオーバラップして望ましいものより暗いイメージを生成する、トラックの終りの重ね書きを示す。
【０００９】
レーザマーク間のギャップ１１４は、概して、トラック長（たとえば、トラックの円周）が整数個のマーク間隔の長さでないためにトラックの終りにおいて発生する。たとえば、空間１１４は、図１に示すようにマーク１１６のおよそ１／２の断片である。内側トラック１２４の半径が通常は名目プリント領域（nominal print region）の内側半径１２６と一致するように選択されるため、トラック長はマーク間隔の整数倍ではない。この内側トラック１２４の円周は、２πと半径１２６との積（すなわち、Ｃ＝２π・Ｒ）であるため、トラック１２４の円周は、概してマーク間隔の正確な整数倍ではなくなる。
【００１０】
さらに、半径方向１２６における同心円トラック１１２間の間隔は、通常は、光ディスクにラベルイメージを書込む場合のマーク間隔の単純な比として選択される。たとえば、レーザで生成されるマークの形状が円形である場合、マーク間隔に等価なトラック空間を選択することにより、放射状にかつ接線方向にプリント濃度が均質になる。マークの形状が楕円形である場合、トラック対マーク間隔比を、ラベルイメージの均質なプリント濃度に達するように調整することができる。しかしながら、ラベル領域１０２の内側トラック１２４に対応する第１のトラック半径１２６を単に選択する場合および／または均質なプリント濃度のみを考慮するようにトラック間隔を選択する場合、トラック長はマーク間隔の整数倍ではなくなるため、トラックの終りのギャップ１１４および／または重ね書きがラベルイメージに現れることになる。
【００１１】
したがって、光ディスクラベリング等のディスクメディアマーキングの質を視覚的に向上させレーザマークのトラックの終りのギャップおよび／または重ね書きが発生しないようにする技術が必要とされている。
【課題を解決するための手段】
【００１２】
本明細書では、ディスクメディアマーキングについて説明する。
【００１３】
実施態様では、レーザが、ディスクメディア上に同心円トラックに書込まれたレーザマークとしてイメージを描く。プリント制御アプリケーションが、第１の円形トラックの半径を、第１の円形トラックの円周長が整数個のレーザマーク間隔に対応するように確定する。プリント制御アプリケーションは、さらに、第１の円形トラックから第２の円形トラックへの半径増分を、第２の円形トラックの円周長が第２の整数個のレーザマーク間隔に対応するように確定する。
【００１４】
図面を通して、同じ番号を使用して同様の特徴および構成要素を参照する。
【発明を実施するための最良の形態】
【００１５】
以下では、光ディスクラベリングの質を視覚的に向上させレーザマークのトラックの終りのマーキングギャップおよび／または重ね書きの発生を防止する、ディスクメディアマーキングシステムおよび方法を説明する。光ディスクラベリングシステムのユーザは、音楽、画像、ビジネスファイルのバックアップまたは他のいかなるタイプのデジタルデータのディスクも作成または他の方法で記録することができ、その後、ディスクに記録された内容を識別するためにディスクの非データ面にラベルをプリントまたはマーキングすることができる。本明細書で説明する例示的な実施態様では、ラベルは、ディスク上にレーザによって描かれるテキスト、グラフィックスまたはそれらの組合せのいかなる形態であってもよいイメージである。ディスクメディアマーキングを光ディスクラベリングの文脈で説明するが、本明細書で説明する発明の技術は、いかなるタイプのディスクメディアの表面にも同心円トラックをマーキングするいかなる形態にも適用可能である。
【００１６】
ディスクメディアマーキング技術の一実施態様では、ディスクメディア上のラベル領域における第１の円形トラックの半径を確定する。半径を、第１のトラックの円周（たとえば、トラックの円周長）が、第１のトラックにおけるレーザマーク間隔の長さによって確立されるような整数個のレーザマーク間隔に対応するように確定する。そして、ディスクメディアのラベル領域における後続する同心円トラックに対するトラック間隔を、後続するトラックの各々の円周長もまた整数個のレーザマーク間隔に対応するように確定する。トラック間隔は、ディスクメディアのラベル領域における１つの同心円トラックから次の同心円トラックへの半径増分である。このディスクメディアマーキング技術により、ディスクメディア上にレーザマークとしてラベルイメージが描かれ、トラックの終りのマーキングギャップおよび／または重ね書きがなくなることにより、ラベルの見た目が視覚的に向上する。
【００１７】
図２は、ディスクメディア２０２上にラベルイメージを描く場合にレーザマークのトラックの終りのギャップおよび／または重ね書きの発生を防止する、ディスクメディアマーキング２００の例示的な実施態様を示す。ディスクメディア２０２は、コンパクトディスク（ＣＤ）、ＣＤ−Ｒ（追記型）、ＣＤ−ＲＷ（書換え型）、ＣＤ−Ａｕｄｉｏ、Ｖｉｄｅｏ  ＣＤ、デジタルバーサタイルディスク（ＤＶＤ）、ＤＶＤ＋ＲＷ（書換え型）またはＣＤ−ＲＯＭ（ＣＤ−リードオンリーメモリ）を含む他の任意のタイプの光ディスクのうちのいずれか等、ディスクメディアに記録された内容を識別することを望む消費者がカスタムラベリングすることができる、いかなるタイプの光ディスクであってもよい。
【００１８】
ディスクメディア２０２は、内側領域境界２０６と外側領域境界２０８とによって画定されるラベル領域２０４を含む。内側領域境界２０６の円周を、半径２１０によって画定し（すなわち、Ｃ＝２π・Ｒ）、外側領域境界２０８の円周を、半径２１２によって画定する。ラベル領域２０４内において、ディスクメディア２０２は、同心円トラック２１４（１）、２１４（２）、…、２１４（Ｎ）、…、２１４（Ｎ＋Ｍ）を含む。トラック２１４を、レーザを発射してディスク２０２上のラベル領域２０４内にラベルイメージを描く場合に各々生成される別個のレーザマーク２１６として、ディスク２０２上に書込む。同心円トラック２１４を、ディスクメディア２０２上に、右回りおよび／または左回りの方向に書込むことができる。さらに、同心円トラックを、内側トラックから開始して最外トラック２１４（Ｎ＋Ｍ）まで徐々に外側に移動するか、または外側トラックから最内トラック２１４（１）まで徐々に内側に移動して、ディスクメディア２０２上に書込むことができる。
【００１９】
レーザマーク２１６は、形状が円形であってもよいが、通常はレーザが発射してディスクメディア２０２上にマークを生成する場合にディスクもまた回転しているため、この例では楕円形マークとして示す。このため、マーク２１６は、トラック２１４に沿って引伸ばされる。たとえば、レーザマーク２１６は、半径方向２１８に２５ミクロンであってもよく、トラック２１４に沿って４０ミクロンであってもよい。そして、ラベルイメージの均質なプリント濃度を、トラック２１４に沿って６００マーク／インチとしておよび半径方向に１０００トラック／インチとして（たとえば、６００／１０００≒２５／４０）確立してもよい。
【００２０】
この例では、ディスクメディア２０２に沿った回転の各サイクルの終りにおいて、レーザを半径方向２１８に１トラック幅だけ増分することを示すために、トラック２１４間の間隔が誇張されている。ラベルイメージマークの第１の内側トラック２１４（１）を、内側領域境界２０６として書くことができ、ここでは、第１の内側トラック２１４（１）の半径（Ｒ１）が内側領域境界の半径２１０に等しい。さらに、ラベルイメージマークの外側トラック２１４（Ｎ＋Ｍ）を、外側領域境界２０８として書くことができ、ここでは、外側トラック２１４（Ｎ＋Ｍ）の半径（Ｒｎ＋ｍ）が外側領域境界の半径２１２に等しい。この例では、第１の内側トラック２１４（１）の半径（Ｒ１）は半径２１０以上であり、外側トラック２１４（Ｎ＋Ｍ）の半径（Ｒｎ＋ｍ）は半径２１２以下である。
【００２１】
ディスクメディアマーキング２００のこの実施態様では、第１のトラック２１４（１）の半径（Ｒ１）を、第１のトラック２１４（１）の円周（Ｃ１）（すなわち、トラックの円周長）がディスクメディア２０２の第１のトラックに描かれる整数個のマーク２１６（またはマーク間隔）であるように確定する。そして、後続する同心円トラック２１４（２）、２１４（３）、…、２１４（Ｎ）、…、２１４（Ｎ＋Ｍ）に対するトラック間隔を、後続するトラックの各々の円周（Ｃｎ）もまたそれぞれのトラックにおける整数個のマークまたはマーク間隔であるように確定する。特定のトラック２１４におけるマーク間隔２２０は、ラベルイメージの特定の部分の色が明るいか暗いか等、ラベルイメージ次第で、マーク２１６を含んでも含まなくてもよい。しかしながら、トラックにおけるマーク間隔２２０は、トラックの長さすなわち円周に対応する整数個のマークを確定する。この例では、マーク長（たとえば、トラック２１４に沿ったマーク２１６のサイズ）は、マーク間隔（たとえば、トラック２１４に沿ったマーク位置の中心間の距離２２０）に等しい。しかしながら、マーク間隔を、マークがラベルイメージの他より暗い領域において幾分かオーバラップするようにマークの長さより短く指定してもよく、それにより、ラベルのそれらの領域の光学濃度が向上する。
【００２２】
この例では、第１のトラック半径（Ｒ１）をラベル領域２０４における最内トラック２１４（１）に対し確定するが、最外トラック２１４（Ｎ＋Ｍ）の半径を第１のトラック半径として確定してもよい。さらに、後続するトラック間隔を、半径方向２１８に内側トラックから最外トラックへではなく半径方向に外側トラック２１４（Ｎ＋Ｍ）から最内トラック２１４（１）へ確定してもよい。
【００２３】
ディスクメディア２０２のプリント領域２０４を、内側半径限界（ＩＲ）２１０と外側半径限界（ＯＲ）とによって画定する。この場合、内側半径限界は外側半径限界未満である（ＩＲ＜ＯＲ）。内側半径限界（ＩＲ）２１０は、内周（ＩＣ）を画定し、ＩＣ＝２π・ＩＲである。内周（ＩＣ）は、ラベル領域２０４の内側領域境界２０６である。外側半径限界（ＯＲ）２１２は、外周（ＯＣ）を画定し、ＯＣ＝２π・ＯＲである。外周（ＯＣ）は、ラベル領域２０４の外側領域境界２０８である。
【００２４】
第１の内側トラック２１４（１）の第１の円周（Ｃ１）を画定する第１のトラック半径（Ｒ１）（半径方向２１８）は、第１のトラック円周Ｃ１＝２π・Ｒ１であるように、内側半径限界（ＩＲ）２１０以上の最小トラック半径である。さらに、マーク間隔（ＭＳ）２２０が、整数個のマークであるトラック長を確定する場合にトラックの長さに対応する整数個のマーク（たとえば、トラックにおけるマーク２１６の累積的長さ）を確立するため、レーザマーク２１６のマーク間隔（ＭＳ）２２０は、トラックの円周（たとえば長さ）を確定する場合の係数である。
【００２５】
ｋ＝ceil（ＩＣ／ＭＳ）であるように、内周（ＩＣ）をマーク間隔（ＭＳ）で除算した値の小数点以下切り上げに等しい係数（ｋ）を画定する。ここで、任意の数Ｎの小数点以下切り上げは、Ｎをすぐ上の整数に丸める。内周（ＩＣ＝２π・ＩＲ）を置換えて、内周に沿ったマーク間隔の数をすぐ上の整数に丸めたｋ＝ceil（２π・ＩＲ／ＭＳ）とする。
【００２６】
第１のトラック２１４（１）上の整数個のマーク間隔を得るために、第１のトラック半径Ｒ１を、第１のトラックの円周Ｃ１がｋ個のマーク間隔を有するように確定する。そして、Ｃ１＝ｋ・ＭＳ＝ceil（２π・ＩＲ／ＭＳ）・ＭＳとし、Ｒ１＝Ｃ１／２π＝ceil（２π・ＩＲ／ＭＳ）／（２π／ＭＳ）とする。式から内側半径（ＩＲ）を減算することにより、Ｒ１−ＩＲ＝ceil（２π・ＩＲ／ＭＳ）／（２π／ＭＳ）−ＩＲ＝［ceil（ＩＲ・（２π／ＭＳ））−ＩＲ・（２π／ＭＳ）］／（２π／ＭＳ）となる。以上より、第１のトラック半径に対する式は、０≦｜Ｒ１−ＩＲ｜＜ＭＳ／（２π）により制限される。したがって、整数個のマーク間隔分の長さの円周を得るためのＩＲからＲ１への開始トラック半径の調整は、マーク間隔の１／６未満である。
【００２７】
以下は、上述したように第１のトラックの半径を確定するための計算の概要である。
【００２８】
ＩＲ  内側半径限界
ＯＲ  外側半径限界
ＩＣ  内周
ＯＣ  外周
Ｒ１  第１のトラックの半径
Ｃ１  第１のトラックの円周
ＭＳ  マーク間隔
ｋ  一定係数
ceil（）  Ｎの小数点以下切り上げ（ceil（Ｎ））は、Ｎをすぐ上の整数に丸める
ＩＣ＝２π・ＩＲ
ＯＣ  ＝２π・ＯＲ
Ｃ１＝２π・Ｒ１
ｋ＝ceil（ＩＣ／ＭＳ）
ＩＣを置換えて、
ｋ＝ceil（２π・ＩＲ／ＭＳ）
Ｃ１＝ｋ・ＭＳとすると、
Ｒ１＝ｋ・ＭＳ／２π
Ｒ１＝［ceil（２π・ＩＲ／ＭＳ）］／（２π／ＭＳ）
ＩＲを減算すると、
Ｒ１−ＩＲ＝［ceil（ＩＲ・（２π／ＭＳ））］／（２π／ＭＳ）−ＩＲ
Ｒ１−ＩＲ＝［ceil（ＩＲ・（２π／ＭＳ））−ＩＲ・（２π／ＭＳ）］／（２π／ＭＳ）
これを、０≦｜Ｒ１−ＩＲ｜＜ＭＳ／（２π）＜ＭＳ／６で制限する。
【００２９】
このように、第１のトラックの半径（Ｒ１）を、第１のトラック２１４（１）の円周長が整数個のマーク間隔２２０の長さであるように確定する。第１のトラック半径（Ｒ１）を確定した後、調整されたトラック間隔（ＡＴＳ）を、後続する同心円トラック２１４（２）、２１４（３）、…、２１４（Ｎ）、…、２１４（Ｎ＋Ｍ）のトラック円周（Ｃｎ）もまたそれぞれのトラックにおける整数個のマークまたはマーク間隔であるように確定する。
【００３０】
ラベルイメージがディスクメディア２０２に書込まれるときに、名目トラック対マーク間隔比（nominal track-to-mark spacing ratio、ＮＳＲ）がマーク濃度を均質にするように、名目トラック間隔（nominal track spacing、ＮＴＳ）を選択することができる。名目トラック対マーク間隔比（ＮＳＲ）を、名目トラック間隔（ＮＴＳ）とマーク間隔（ＭＳ）とに基づいて計算することにより、名目間隔比ＮＳＲ＝ＮＴＳ／ＭＳであるようにする。所与の名目間隔比（ＮＳＲ）に対し、いかなるトラックｎの円周（Ｃｎ）もＣｎ＝２π・（Ｒ１＋（ｎ−１）・ＮＳＲ・ＭＳ）によって確定する。ここでは、第１のトラック２１４（１）の場合はｎ＝１であり、後続するトラック２１４（２）、２１４（３）、…、２１４（Ｎ）それぞれに対してｎ＝２、３、…、Ｎである。
【００３１】
式Ｃｎ＝２π・（Ｒ１＋（ｎ−１）・ＮＳＲ・ＭＳ）において、Ｃ１＝２π・Ｒ１に置換えることにより、Ｃｎ＝Ｃ１＋２π・（ｎ−１）・ＮＳＲ・ＭＳとする。さらに、名目間隔比（ＮＳＲ）とマーク間隔（ＭＳ）との積である名目トラック間隔（ＮＴＳ）に置換えることにより、Ｃｎ＝Ｃ１＋２π・（ｎ−１）・ＮＴＳとする。
【００３２】
第１のトラック２１４（１）の円周（Ｃ１）は、整数個のマーク間隔の長さである。しかしながら、後続するトラック円周（Ｃｎ）は、通常は、名目トラック間隔（ＮＴＳ）に基づく場合整数個のマーク間隔の長さにはならない。この制約を強制し後続するトラック２１４（２）、２１４（３）、…、２１４（Ｎ）の各々に対して整数個のマーク間隔を保証するために、名目トラック間隔（ＮＴＳ）の代りに調整済みトラック間隔（ＡＴＳ）を用いる。
【００３３】
調整済みトラック間隔（ＡＴＳ）を、後続するトラック円周（Ｃｎ）の各々が、以前のトラック円周に対しマーク間隔（ＭＳ）の整数倍だけ増大するように確定する。第２のトラック２１４（２）の場合、円周Ｃ２＝２π・（Ｒ１＋ＡＴＳ）＝Ｃ１＋２π・ＡＴＳとなる。
【００３４】
トラック円周の増大分は、Ｃ２−Ｃ１＝２π・ＡＴＳである。差Ｃ２−Ｃ１を、マーク間隔ＭＳのｔ倍として表すことができ、調整済みトラック間隔ＡＴＳ＝（ＭＳ・ｔ）／２πとなる。名目トラック間隔（ＮＴＳ）値から調整済みトラック間隔（ＡＴＳ）値にトラック間隔を変更することにより、プリントされたイメージ（たとえば、ディスクメディア上に描かれたラベル）の結果としてのプリント濃度プロファイルが変化する可能性がある。しかしながら、結果としてのいかなる視覚的影響をも軽減するようにマーク間隔倍数ｔを選択することができ、それにより調整済みトラック間隔と名目トラック間隔との差が最小にされる（たとえば、｜ＡＴＳ−ＮＴＳ｜）。さらに、倍数ｔをトラックがオーバラップしないように選択することができ、それにより調整済みトラック間隔（ＡＴＳ）は名目トラック間隔（ＮＴＳ）以上となる。
【００３５】
調整済みトラック間隔ＡＴＳ＝（ＭＳ・ｔ）／２πに対する式を、式から名目トラック間隔（ＮＴＳ＝ＮＳＲ・ＭＳ）を減算する場合、ＡＴＳ−ＮＴＳ＝（ＭＳ・ｔ）／２πＮＳＲ・ＭＳとして書換えることができる。そして、式を、調整済みトラック対マーク間隔比ＡＳＲ＝ｔ／２πに置換える場合に（ＡＳＲ−ＮＳＲ）・ＭＳと等価である、ＡＴＳ−ＮＴＳ＝［（ｔ／２π）−ＮＳＲ］・ＭＳとして書換えることができる。倍数ｔと調整済みトラック対マーク間隔比（ＡＳＲ）との値の例は、以下の通りである。
【００３６】
ｔ    ＡＳＲ＝      近似値
１    １／２π      ０．１５９
２    ２／２π      ０．３１８
３    ３／２π      ０．４７７
４    ４／２π      ０．６３７
５    ５／２π      ０．７９６
６    ６／２π      ０．９５５
７    ７／２π      １．１１４
名目間隔比（ＮＳＲ）に近い調整済みトラック対マーク間隔比（ＡＳＲ）を選択することにより、描かれたラベルイメージのプリント濃度プロファイルを変更する視覚的影響が低減される。たとえば、特定の楕円形レーザマークが名目トラック対画素間隔比ＮＳＲ＝ＮＴＳ／ＭＳ＝（１／１０００）／（１／６００）＝０．６を示す場合、名目間隔比（ＮＳＲ＝０．６）以上の最も近い調整済み間隔比（ＡＳＲ）は、ＡＳＲ＝４／２π≒０．６３７となる。ＡＴＳ＝ＡＳＲ・ＭＳによって確定されるような調整済みトラック間隔（ＡＴＳ）は、ＡＴＳ＝０．６３７（１／６００）であり、それは０．００１の名目トラック比と比較しておよそ０．００１０６である。このため、０．００１０６のトラック間隔に対し、第１のトラック２１４（１）から外側半径限界（ＯＲ）２１８まで半径方向２１８に進む場合、各後続するトラック２１４に対し、円周の長さに４つのレーザマーク間隔が追加される。
【００３７】
以下は、上述したように、後続するトラック円周もまた整数個のマーク間隔の長さであるように調整済みトラック間隔（ＡＴＳ）を確定する計算の概要である。
【００３８】
ＮＴＳ  名目トラック間隔
ＡＴＳ  調整済みトラック間隔
ＮＳＲ  名目トラック対マーク間隔比＝ＮＴＳ／ＭＳ
ＡＳＲ  調整済みトラック対マーク間隔比＝ＡＴＳ／ＭＳ
ｎ番目のトラックの調整済み円周は、
Ｃｎ＝Ｃ１＋２π・（ｎ−１）・ＡＴＳ
であり、第２のトラック円周の場合、
Ｃ２＝Ｃ１＋２π・ＡＴＳ
Ｃ２−Ｃ１＝２π・ＡＴＳ
この差は、倍数ＭＳ・ｔであり、それにより調整済みトラック間隔
ＡＴＳ＝（ＭＳ・ｔ）／２π
は、名目間隔比ＮＳＲに最も近い調整済み間隔比ＡＳＲ＝ｔ／２πにしたがって、ＡＴＳ＝ＡＳＲ・ＭＳとなる。
【００３９】
図３は、ディスクメディアマーキング装置３０２と表示装置３０４とを含む例示的なディスクメディアマーキングシステム３００を示す。ディスクメディアマーキング装置３０２を、図２に関して上述したようなディスクメディアラベリングのためのスタンドアロンのアプライアンス装置として実現してもよい。代替的に、ディスクメディアマーキング装置３０２を、ＣＤ−Ｒ（ＣＤ追記型ディスク）および／またはＣＤ−ＲＷ（ＣＤ書換え型ディスク）にデータを記録するとともに光ディスクにラベリングするように実現される書込み可能コンパクトディスク（ＣＤ）プレイヤー等の光メディアプレイヤーまたはドライブの一部として統合してもよい。かかる書込み可能ＣＤ装置には、たとえば、オーディオシステムにおける周辺コンポーネントであるスタンドアロンオーディオＣＤプレイヤー、ＰＣ（パーソナルコンピュータ）における標準装備として統合されるＣＤ−ＲＯＭドライブ、ＤＶＤ（デジタルバーサタイルディスク）プレイヤーおよび多数の同様の実施形態があり得る。
【００４０】
ディスクメディアマーキング装置３０２は、ディスクメディアマーキング装置３０２の動作を制御し他の電子およびコンピューティング装置と通信するための種々の命令を処理する１つまたは複数のプロセッサ３０６（たとえば、マイクロプロセッサ、コントローラ等のいずれか）を含む。ディスクメディアマーキング装置３０２に、１つまたは複数のメモリコンポーネントを実装してもよく、それらの例には、ランダムアクセスメモリ（ＲＡＭ）３０８、ディスク記憶装置３１０および不揮発性メモリ３１２（たとえば、リードオンリーメモリ（ＲＯＭ）３１４、フラッシュメモリ、ＥＰＲＯＭ、ＥＥＰＲＯＭ等のうちの１つまたは複数）がある。
【００４１】
ディスク記憶装置３１０には、ハードディスクドライブ、磁気テープ、追記型および／または書換え型コンパクトディスク（ＣＤ）、ＤＶＤ、ＤＶＤ＋ＲＷ等のいかなるタイプの磁気または光記憶装置が含まれてもよい。１つまたは複数のメモリコンポーネントは、ディスクメディアマーキング装置３０２に対する設定情報、グラフィカルユーザインタフェース情報、ディスクメディアマーキング装置３０２の動作態様に関連する他のいかなるタイプの情報およびデータ等の種々の情報および／またはデータを格納するデータ記憶機構を提供する。ディスクメディアマーキング装置３０２の代替実施態様には、さまざまな処理およびメモリ能力が含まれてもよく、図３に示すものとは異なるいかなる数のメモリコンポーネントが含まれてもよい。
【００４２】
ディスクメディアマーキング装置３０２は、ＲＯＭ３１４に格納された永久メモリモジュールとしてまたはプロセッサ３０６のコンポーネント等ディスクメディアマーキング装置３０２の他のコンポーネントにより実現されるファームウェアコンポーネント３１６を含む。ファームウェア３１６は、ディスクメディアマーキング装置３０２内のハードウェアの動作を調整するようにプログラムされディスクメディアマーキング装置３０２とともに分配され、かかる動作を実行するために使用されるプログラミング構成体を含む。
【００４３】
オペレーティングシステム３１８と１つまたは複数のアプリケーションプログラムとを、不揮発性メモリ３１２に格納し、実行時環境を提供するようにプロセッサ（複数可）３０６において実行することができる。実行時環境は、種々のインタフェースが定義されるのを可能にしそれらによってアプリケーションプログラムがディスクメディアマーキング装置３０２と対話することができるようにすることによって、ディスクメディアマーキング装置３０２の拡張性を促進する。この例では、アプリケーションプログラムには、ラベルデザインアプリケーション３２０と、イメージ処理アプリケーション３２２と、プリント制御アプリケーション３２４と、がある。
【００４４】
ラベルデザインアプリケーション３０２は、表示装置３０４に表示するラベルデザインユーザインタフェース３２６を生成し、ユーザはそこから、光ディスクの等のディスクメディア上に描かれるラベルイメージを生成することができる。ユーザは、背景用のビットマップイメージ、デジタル写真、グラフィックまたは記号および／またはそれらの任意の組合せを指定することにより、ユーザインタフェース３２６においてラベルイメージを生成することができる。
【００４５】
イメージ処理アプリケーション３２２は、ラベルデザインユーザインタフェース３２６を用いて生成されたラベルイメージを処理することにより、ラベルイメージデータのデータストリームと、ディスクメディア２０２（図２）等のディスクメディアの同心円トラックにおけるイメージの描画を制御するためのレーザ制御データと、を生成する。たとえば、ラベルイメージの連続階調ＲＧＢ（赤、緑および青）の矩形ラスタグラフィックを同心円トラックに変換することができる。曲線状のラスタを、カラーマッピングし、プリントカラーチャネルＫＣＭＹ（ブラック、シアン、マゼンタおよびイエロー）に分離し、連続チャネル階調を、システムのあり得るプリントレベルを表す離散（たとえば、バイナリ）値に置換する。このデータストリームをレーザ制御データとしてフォーマットし、他の制御コマンドで補強することにより、ディスクメディア上にラベルを描くディスクメディアマーキング装置３０２を制御する。コントローラに通信することができるラベルファイルを生成し、コントローラでは、ラベリング機構を制御するためにラベルファイルが解析される。代替的に、同心円トラックを生成して、装置の描画プロセスによりホスト処理を利用するために一度に１トラックをディスクメディアマーキング装置３０２にストリーミングしてもよい。
【００４６】
プリント制御アプリケーション３２４は、ディスクメディアマーキング２００（図２）の例示的な実施態様において上述したように、第１のトラックの半径を確定し後続するトラック間隔を確定する。第１のトラックの半径とトラック間隔とが確定された後、プリント制御アプリケーション３２４は、いずれのラベルイメージデータが各それぞれのトラックに対応するかを確定する。特定のトラックに沿ったレーザマーク位置を座標系で指定し、そこでは、同心円トラックを、半径距離と各それぞれのトラックに沿った距離との座標で定義する。
【００４７】
ディスクメディアマーキング装置３０２は、ディスクメディア２０２（図２）のラベル面（たとえば、非データ面）にラベルイメージを描く等、ディスクメディア上にマーキングするように実現することができる、ディスクドライブシステム３２８を含む。図４を参照して、下にディスクドライブシステム３２８についてさらに説明する。
【００４８】
ディスクメディアマーキング装置３０２はさらに、任意の１つまたは複数のシリアルおよび／またはパラレルインタフェースとして、無線インタフェースとして、任意のタイプのネットワークインタフェースとして、および他のいかなるタイプの通信インタフェースとしても実施することができる、１つまたは複数の通信インタフェース３３０を含む。無線インタフェースにより、ディスクメディアマーキング装置３０２は、遠隔制御装置からもしくは別の赤外線（ＩＲ）、８０２．１１、Ｂｌｕｅｔｏｏｔｈまたは同様のＲＦ入力装置から等、入力装置から制御入力コマンドおよび他の情報を受取ることができる。ネットワークインタフェースは、ディスクメディアマーキング装置３０２とデータ通信ネットワークとの間に、共通データ通信ネットワークに連結された他の電子およびコンピューティング装置がネットワークを介してラベルイメージデータおよび他の情報をディスクメディアマーキング装置３０２に送信することができるようにする接続を提供する。同様に、シリアルおよび／またはパラレルインタフェースは、ディスクメディアマーキング装置３０２と別の電子またはコンピューティング装置との間の直接のデータ通信経路を提供する。
【００４９】
ディスクメディアマーキング装置３０２は、キーボード、ポインティングデバイス、ユーザコントロールパネル上の選択可能コントロールおよび／またはディスクメディアマーキング装置３０２とやりとりをしそれに情報を入力するための他の機構を含むことができる、ユーザ入力装置３３２を有してもよい。ディスクメディアマーキング装置３０２はまた、表示装置３０４に表示する表示内容を生成し１つまたは複数のスピーカ（図示せず）等の提示装置によって提示する音声内容を生成する、音声／ビデオプロセッサ３３４も有する。音声／ビデオプロセッサ３３４は、表示内容を処理して対応する画像を表示装置３０４に表示するディスプレイコントローラを有することができる。ディスプレイコントローラを、グラフィックスプロセッサ、マイクロコントローラ、集積回路および／または画像を処理する同様のビデオ処理コンポーネントとして実施してもよい。ビデオ信号および音声信号を、ディスクメディアマーキング装置３０２から表示装置３０４に、ＲＦ（無線周波数）リンク、Ｓビデオリンク、コンポジットビデオリンク、コンポーネントビデオリンクまたは他の同様の通信リンクを介して通信することができる。
【００５０】
ディスクメディアマーキング装置３０２のコンポーネントのいくつかを、別々に示すが、特定用途向け集積回路（ＡＳＩＣ）において実施してもよい。さらに、システムバス(図示せず）が通常は、ディスクメディアマーキング装置３０２内の種々コンポーネントを接続する。システムバスを、メモリバスまたはメモリコントローラ、周辺バス、アクセラレイテッド・グラフィックス・ポートまたは種々のバスアーキテクチャのいずれかを使用するローカルバスを含む、いくつかのタイプのバス構造のうちの任意の１つまたは複数として実施してもよい。さらに、ディスクメディアマーキング装置３０２は、ホストプロセッサとシステムバスを共有してもよい。
【００５１】
図４は、図３において例示的なディスクメディアマーキング装置３０２のコンポーネントとして示すディスクドライブシステム３２８の例示的な実施態様を示す。ディスクドライブシステム３２８は、レーザ４０６を支持するスレッド４０４と、光検出器４０８と、レーザ集束レンズ４１０と、レンズ支持体４１２と、を含むレーザアセンブリ４０２を有する。
【００５２】
レーザ４０６によってレーザビーム４１４が生成され、それがディスクメディア２０２のラベル面４１６に集束される。レーザビーム４１４は、ディスクメディアマーキング２００（図２）の例示的な実施態様に関して上述したように、ラベルイメージデータに対応するレーザマークを生成することによりディスクメディア２０２上にラベルのイメージを描く。
【００５３】
ディスクドライブシステム３２８は、ディスクモータ４１８と、スレッドモータ４２０と、コントローラ４２２と、を有する。コントローラ４２２は、レーザ制御部４２４、スレッド制御部４２６およびスピンドル制御部４２８に対する動作命令を処理する。スピンドル制御部４２８は、ディスクモータ４１８をディスク２０２の回転速度を制御するように駆動し、スレッドモータ４２０を駆動するスレッド制御部４２６と協働して、スレッド駆動機構４３０に沿ってディスク２０２に関しレーザアセンブリ４０２の半径方向の位置を制御する。一実施態様では、ディスク２０２の回転速度とレーザアセンブリ４０２の半径方向の位置とを、特定のトラックが一定の線形速度でレーザビーム４１４上を移動するに従いレーザマークがディスク２０２に書込まれるように制御する。
【００５４】
レーザ制御部４２４は、レーザビーム４１４の発射を制御することにより、ディスクメディア２０２上にラベルイメージに対応するレーザマークを書込む。光検出器４０８は、レーザ制御部４２４にレーザ焦点フィードバック４３２を提供する光ピックアップユニットとして実現することができる。さらに、レーザ制御部４２４は、データ面４３４がレーザビーム４１４上を通過するようにディスクが配置された場合にディスクメディア２０２のデータ面４３４に保持されているデータを読取るように、レーザビーム４１４の強度を制御する。レーザ制御部４２４、スレッド制御部４２６およびスピンドル制御部４２８を、コンポーネントドライバとして実施してもよく、ファームウェアメモリコンポーネント４３６によりコンピュータ実行可能命令として保持してもよい。さらに、コンポーネントドライバを、ディスクラベル装置３０２の１つまたは複数のプロセッサ３０６（図３）で実行してもよい。
【００５５】
コンピューティング装置インタフェース４３８は、ディスクドライブシステム３２８のコントローラ４２２を別の電子またはコンピューティング装置とインタフェースすることにより、たとえば１つまたは複数のラベルデータバッファ（複数可）４４０で保持することができるラベルイメージデータまたはラベルファイルを受取る。コンピューティング装置インタフェース４３８を、多くの小型コンピュータ用パラレルまたはシリアルデバイスインタフェースのうちの１つであるＡＴＡＰＩ（Advanced Technology Attachment Packet Interface（アドバンスド・テクノロジ・アタッチメント・パケット・インタフェース））として実装してもよい。別の一般的なコンピュータインタフェースは、周辺機器をコンピュータに接続するための汎用デバイスインタフェースであるＳＣＳＩ（小型コンピュータシステムインタフェース）である。ＳＣＳＩは、コマンドの構造と、コマンドが実行される方法と、ステータスが処理される方法と、を定義する。他の種々の物理インタフェースには、パラレルインタフェース、ファイバチャネル、ＩＥＥＥ１３９４、ＵＳＢ（ユニバーサルシリアルバス）およびＡＴＡ／ＡＴＡＰＩがある。ＡＴＡＰＩは、ＣＤ−ＲＯＭおよびテープドライブを同じＡＴＡケーブルを介してＡＴＡハードディスクドライブと接続することができるようにＡＴＡインタフェースで使用するコマンド実行プロトコルである。ＡＴＡＰＩデバイスには、概して、ＣＤ−ＲＯＭドライブ、ＣＤ追記型ドライブ、ＣＤ書換え型ドライブ、ＤＶＤ（デジタルバーサタイルディスク）ドライブ、テープドライブ、スーパーフロッピードライブ（たとえば、ＺＩＰおよびＬＳ−１２０）等がある。
【００５６】
ディスクメディアマーキングの方法を、コンピュータ実行可能命令の一般的な文脈で説明することができる。概して、コンピュータ実行可能命令には、特定の機能を実行するかまたは特定の抽象データタイプを実施する、ルーチン、プログラム、オブジェクト、コンポーネント、データ構造、プロシージャ等がある。また、ディスクメディアマーキングの方法を、通信ネットワークによって連結される遠隔処理装置によって機能が実行される分散コンピューティング環境で実施してもよい。分散コンピューティング環境では、コンピュータ実行可能命令を、メモリ記憶装置を含む局所および遠隔コンピュータ記憶メディアの両方に配置してもよい。
【００５７】
図５は、ディスクメディアマーキングの方法５００を示す。方法を説明する順序は、限定として解釈されるように意図されておらず、いかなる数の説明する方法ブロックをも本方法を実施するためにいかなる順序で結合してもよい。さらに、本方法を、いかなる適当なハードウェア、ソフトウェア、ファームウェアまたはそれらの組合せで実現してもよい。
【００５８】
ブロック５０２において、ディスクメディア上にイメージを描くために同心円トラックに書込まれるレーザマークの長さを確定する。この場合、レーザマークの長さはレーザマーク間隔に対応する。たとえば、ディスクメディアマーキング装置３０２（図３）のプリント制御アプリケーション３２４が、レーザマーク２１６（図２）の長さを確定する。レーザマーク２１６の長さは、レーザマーク間隔２２０に対応する。
【００５９】
ブロック５０４において、レーザマーク間隔の第１の円形トラックに対するディスクメディアの中心からの半径を、第１の円形トラックの円周長が整数個のレーザマーク間隔に対応するように確定する。たとえば、プリント制御アプリケーション３２４（図３）が、第１の円形トラック２１４（１）に対するディスクメディア２０２の中心からの半径２１８（図２）を、第１の円形トラック２１４（１）の円周長が整数個のレーザマーク間隔２２０に対応するように確定する。第１の円形トラック２１４（１）の半径を、内側ラベル領域境界２０６の半径２１０以上であるように確定する。代替的に、第１の円形トラックを最外トラック２１４（Ｎ＋Ｍ）として指定する場合、第１の円形トラック２１４（Ｎ＋Ｍ）の半径を、外側ラベル領域境界２０８の半径２１２以下であるように確定する。
【００６０】
ブロック５０６において、レーザマーク間隔の第１の円形トラックと第２の円形トラックとの間の半径増分を、第２の円形トラックの円周長が第２の整数個のレーザマーク間隔に対応するように確定する。たとえば、プリント制御アプリケーション３２４（図３）が、第１の円形トラック２１４（１）（図２）と第２の円形トラック２１４（２）との間の半径増分を、第２の円形トラック２１４（２）の円周長が第２の整数個のレーザマーク間隔２２０に対応するように確定する。
【００６１】
ブロック５０８において、半径増分を、各同心円トラックの円周長が整数個のレーザマーク間隔に対応するようにレーザマーク間隔の同心円トラック間のトラック間隔として確立させる。たとえば、プリント制御アプリケーション３２４（図３）が、第１の円形トラック２１４（１）と第２の円形トラック２１４（２）との間の半径増分（たとえば、半径２１８(図２）に沿った）を、各同心円トラックの円周長が整数個のレーザマーク間隔２２０に対応するように、同心円トラック２１４のすべての間のトラック間隔距離として確立させる。
【００６２】
ブロック５１０において、円形トラックのレーザマーク間隔に書込まれるレーザマークとして、ディスクメディア上にラベルイメージを描く。たとえば、ディスクドライブシステム３２８(図４）が、ディスクメディア２０２上のラベル領域２０４（図２）に、同心円トラック２１４のレーザマーク２１６としてイメージを描く。
【００６３】
図６は、図３に示す例示的なディスクメディアマーキングシステム３００等、ディスクメディアマーキングシステムのコンポーネントとして実施することができる例示的なコンピューティング装置６００を示す。コンピューティング装置６００は、コンピューティング装置６００の動作を制御し他の電子およびコンピューティング装置と通信するための種々の命令を処理する、１つまたは複数のプロセッサ６０２（たとえば、マイクロプロセッサ、コントローラ等のうちのいずれか）を含む。コンピューティング装置６００に、１つまたは複数のメモリコンポーネントを実装してもよく、それらの例には、ランダムアクセスメモリ（ＲＡＭ）６０４と、ディスク記憶装置６０６と、不揮発性メモリ６０８（たとえば、リードオンリーメモリ（ＲＯＭ）、フラッシュメモリ、ＥＰＲＯＭ、ＥＥＰＲＯＭ等のうちの任意の１つまたは複数）と、フロッピーディスクドライブ６１０と、がある。
【００６４】
ディスク記憶装置６０６は、ハードディスクドライブ、磁気テープ、追記型および／または書換え型コンパクトディスク（ＣＤ）、ＤＶＤ、ＤＶＤ＋ＲＷ等のいかなるタイプの磁気または光記憶デバイスを含んでもよい。１つまたは複数のメモリコンポーネントは、コンピューティング装置６００に対する設定情報、グラフィカルユーザインタフェース情報およびコンピューティング装置６００の動作態様に関連する他の任意のタイプの情報およびデータ等、種々の情報および／またはデータを格納するデータ記憶機構を提供する。コンピューティング装置６００の代替実施態様は、さまざまな処理およびメモリ能力を含んでもよく、図６に示すものとは異なるいかなる数のメモリコンポーネントを含んでもよい。
【００６５】
オペレーティングシステム６１２と１つまたは複数のアプリケーションプログラム（複数可）６１４とを、不揮発性メモリ６０８に格納することができ、プロセッサ（複数可）６０２において実行時環境を提供するように実行することができる。実行時環境は、あらゆるインタフェースが定義されるのを可能にし、それらによりアプリケーションプログラム６１４がコンピューティング装置６００とやりとりすることができるようにすることにより、コンピューティング装置６００の拡張性を促進する。アプリケーションプログラム６１４は、ウェブ（たとえば、「ワールドワイドウェブ」）をブラウズするためのブラウザ、電子メールを容易にする電子メールプログラムおよびいかなる数の他のアプリケーションプログラムを含んでもよい。ディスクメディアマーキング装置３０２（図３）に関して上述したように、ラベルデザインアプリケーション３２０、イメージ処理アプリケーション３２２およびプリント制御アプリケーション３２４もまた、不揮発性メモリ６０８に格納してコンピューティング装置６００のプロセッサ（複数可）６０２において実行することができる。
【００６６】
コンピューティング装置６００はさらに、１つまたは複数の通信インタフェース６１６とモデム６１８とを有する。通信インタフェース６１６を、任意の１つまたは複数のシリアルおよび／またはパラレルインタフェースとして、無線インタフェースとして、任意のタイプのネットワークインタフェースとして、および他のいかなるタイプの通信インタフェースとしても実施することができる。無線インタフェースにより、コンピューティング装置６００は、遠隔制御装置からまたは別の赤外線（ＩＲ）、８０２．１１、Ｂｌｕｅｔｏｏｔｈまたは同様のＲＦ入力装置から等、入力装置から制御入力コマンドおよび他の情報を受取ることができる。
【００６７】
ネットワークインタフェースは、コンピューティング装置６００とデータ通信ネットワークとの間に、共通データ通信ネットワークに接続された他の電子およびコンピューティング装置がネットワークを介してコンピューティング装置６００に情報を通信することができるようにする接続を提供する。たとえば、コンピューティング装置６００は、ディスクメディアマーキングシステム３００(図３）にラベルイメージデータまたはラベルファイルを通信することができる。同様に、シリアルおよび／またはパラレルインタフェースは、コンピューティング装置６００と別の電子またはコンピューティング装置との間に直接データ通信経路を提供する。モデム６１８は、他の電子およびコンピューティング装置との従来の電話線、ＤＳＬ接続、ケーブルおよび／または他のタイプの接続を介するコンピューティング装置６００の通信を容易にする。
【００６８】
コンピューティング装置６００は、キーボード、マウス、ポインティングデバイスおよび／またはコンピューティング装置６００とやりとりをしそれに情報を入力するための他の機構を含むことができるユーザ入力装置６２０を有してもよい。コンピューティング装置６００はまた、ポータブルコンピューティング装置用および同様のモバイルコンピューティング装置用等、一体型表示装置６２２を有してもよい。
【００６９】
コンピューティング装置６００はまた、表示装置６２２に表示する表示内容を生成し１つまたは複数のスピーカ（図示せず）等の提示装置によって提示する音声内容を生成する、音声／ビデオプロセッサ６２４も有する。音声／ビデオプロセッサ６２４は、表示内容を処理して対応する画像を表示装置６２２に表示するディスプレイコントローラを含むことができる。ディスプレイコントローラを、グラフィックスプロセッサ、マイクロコントローラ、集積回路および／または画像を処理する同様のビデオ処理コンポーネントとして実装してもよい。ビデオ信号および映像信号を、コンピューティング装置６００から外部表示装置（たとえば、図３の表示装置３０４）に、ＲＦ（無線周波数）リンク、Ｓビデオリンク、コンポジットビデオリンク、コンポーネントビデオリンクまたは他の同様の通信リンクを介して通信することができる。
【００７０】
コンピューティング装置６００のコンポーネントのいくつかを、別々に示すが、特定用途向け集積回路（ＡＳＩＣ）において実施してもよい。さらに、システムバス（図示せず）が、典型的にはコンピューティング装置６００内の種々のコンポーネントを接続する。システムバスを、メモリバスまたはメモリコントローラ、周辺バス、アクセラレイテッドグラフィックスポートまたは種々のバスアーキテクチャのいずれかを使用するローカルバスを含む、いくつかのタイプのバス構造のうちのいずれかの１つまたは複数として実装してもよい。
【００７１】
本発明を、構造的特徴および／または方法に特定の用語で説明したが、添付の特許請求の範囲において定義される本発明は、必ずしも説明した特定の特徴または方法に限定されない、ということが理解されなければならない。さらに、特定の特徴および方法を、請求する発明の例示的な実施態様として開示する。
【図面の簡単な説明】
【００７２】
【図１】従来の同心円光ディスクラベリング技術に典型的なトラックの終りのマーキング空間のギャップおよび重ね書きの問題を示す図である。
【図２】ディスクメディアマーキングの例示的な実施態様の図である。
【図３】例示的なディスクメディアマーキングシステムの図である。
【図４】図３に示すディスクメディアマーキングシステムのあらゆるコンポーネントのさらなる図である。
【図５】ディスクメディアマーキングの例示的な方法を示すフローチャートである。
【図６】ディスクメディアマーキングシステムによって実現することができる例示的なコンピューティング装置の種々のコンポーネントの図である。
【符号の説明】
【００７３】
１０４  イメージ
２０２  ディスクメディア
２１０  半径
２１４  同心円トラック
２１６  レーザマーク
２１８  半径増分
２２０  レーザマーク間隔
３００  ディスクマーキングシステム
３２４  プリント制御アプリケーション
４０６  レーザ
【図１】
2004247038.tif 000003
【図２】
2004247038.tif 000004
【図３】
2004247038.tif 000005
【図４】
2004247038.tif 000006
【図５】
2004247038.tif 000007
【図６】
2004247038.tif 000008